(57)【要約】【課題】小型化を図ることが可能な光学装置を提供する。【解決手段】光学装置２は、被写体の像を形成する第１の光学系３と、被写体の像とは異なる像を形成する第２の光学系４と、第１の光学系３から入射した光と、第２の光学系４から入射した光とを合成する第３の光学系５Ａとを含み、第３の光学系５Ａは、間隔を隔てて備えられた複数の反射面５２１を有する反射部５２Ａを含み、反射面５２１は、第２の光学系４から第３の光学系５Ａに入射された入射光の波長に応じて、入射光を反射して第３の光学系５Ａから射出するようになっている。【選択図】図１
2008287168.tif 000002
【特許請求の範囲】
【請求項１】
被写体の像を形成する第１の光学系と、
前記被写体の像とは異なる像を形成する第２の光学系と、
前記第１の光学系から入射した光と、前記第２の光学系から入射した光とを合成する第３の光学系とを含む光学装置であって、
前記第３の光学系は、間隔を隔てて備えられた複数の反射面を有する反射部を含み、
前記反射面は、前記第２の光学系から前記第３の光学系に入射された入射光の波長に応じて、前記入射光を反射して前記第３の光学系から射出することを特徴とする光学装置。
【請求項２】
被写体の像を形成する第１の光学系と、
前記被写体の像とは異なる像を形成する第２の光学系と、
前記第１の光学系から入射した光と、前記第２の光学系から入射した光とを合成する第３の光学系とを含む光学装置であって、
前記第３の光学系は、入射光を実質的に同一の方向に反射するように配置された複数の反射面を有する反射部を含み、
前記反射面は、前記第２の光学系から前記第３の光学系に入射された入射光の波長に応じて、前記入射光を反射して前記第３の光学系から射出することを特徴とする光学装置。
【請求項３】
請求項１又は２に記載された光学装置であって、
前記反射面は、前記第１の光学系から前記第３の光学系に入射された入射光の波長に応じて、前記入射光を透過して前記第３の光学系から射出することを特徴とする光学装置。
【請求項４】
請求項３に記載された光学装置であって、
前記反射面により反射された光、及び、前記反射面により透過された光が入射されるファインダ光学系を有することを特徴とする光学装置。
【請求項５】
請求項１から請求項４までの何れか１項に記載された光学装置であって、
前記第３の光学系は、前記反射部が備えられていない領域に透過部を備え、
前記透過部は、前記反射面により反射される波長の光を透過させることを特徴とする光学装置。
【請求項６】
請求項１から請求項５までの何れか１項に記載された光学装置であって、前記反射面のそれぞれは、互いに平行に備えられていることを特徴とする光学装置。
【請求項７】
請求項１から請求項６までの何れか１項に記載された光学装置であって、
前記第１の光学系と前記第３の光学系との間に備えられ、前記被写体の正立像を形成する正立像形成部を含むことを特徴とする光学装置。
【請求項８】
請求項７に記載された光学装置であって、
正立像形成部と前記反射部との間に備えられた第４の光学系を含むことを特徴とする光学装置。
【請求項９】
請求項１から請求項８までの何れか１項に記載された光学装置であって、
前記反射面は、波長が５００ｎｍ以下の光、又は、波長が６００ｎｍ以上の光を反射することを特徴する光学装置。
【請求項１０】
請求項１から請求項９までの何れか１項に記載された光学装置であって、前記反射部は、２以上の異なる波長帯域の光を反射することを特徴とする光学装置。
【請求項１１】
請求項１から請求項１０までの何れか１項に記載された光学装置であって、
前記第３の光学系は、前記反射部と一体に形成され、前記第２の光学系から射出された光を導く導光部を含むことを特徴とする光学装置。
【請求項１２】
請求項１から請求項１１までの何れか１項に記載された光学装置を備えたことを特徴とする光学機器。
【請求項１３】
入射された入射光の波長に応じて、前記入射光を反射して射出する複数の反射面を含み、
前記反射面は、間隔を隔てて備えられていることを特徴とする光学部品。
【請求項１４】
請求項１３に記載された光学部品であって、前記反射面により反射される波長の光を透過させる透過部を含み、
前記透過部は、前記反射面が備えられていない領域に備えられていることを特徴とする光学部品。
【発明の詳細な説明】
【技術分野】
【０００１】
本発明は、光学装置、それを備えた光学機器、および、当該光学装置に用いられる光学部品に関する。
【背景技術】
【０００２】
被写体からの光の上にフォーカス領域等を表示する表示光を重ね合わせて表示する光学装置として、特定の波長域の光のみを反射するダイクロイックミラー等を用いて、表示光を反射させると共に被写体光を透過させるものが従来から知られている（例えば特許文献１参照）。
【０００３】
【特許文献１】特開平１１−２３７６５９号公報
【発明の開示】
【発明が解決しようとする課題】
【０００４】
こうした光学装置では、一枚の大きなダイクロイックミラーにより表示光と被写体光とを合成する構成となっており、ダイクロイックミラー自体が光軸に対して大きく傾斜しているため、光学装置が大型化するという問題があった。
本発明が解決しようとする課題は、小型化を図ることが可能な光学装置、光学機器及び光学部品を提供することである。
【課題を解決するための手段】
【０００５】
請求項１記載の発明は、被写体の像を形成する第１の光学系（３）と、前記被写体の像とは異なる像を形成する第２の光学系（４）と、前記第１の光学系から入射した光と、前記第２の光学系から入射した光とを合成する第３の光学系（５Ａ〜５Ｆ）とを含む光学装置であって、前記第３の光学系は、間隔を隔てて備えられた複数の反射面（５２１〜５２５）を有する反射部（５２Ａ〜５２Ｆ）を含み、前記反射面は、前記第２の光学系から前記第３の光学系に入射された入射光の波長に応じて、前記入射光を反射して前記第３の光学系から射出することを特徴とする光学装置である。
【０００６】
請求項２記載の発明は、被写体の像を形成する第１の光学系（３）と、前記被写体の像とは異なる像を形成する第２の光学系（４）と、前記第１の光学系から入射した光と、前記第２の光学系から入射した光とを合成する第３の光学系（５Ａ〜５Ｆ）とを含む光学装置であって、前記第３の光学系は、入射光を実質的に同一の方向に反射するように配置された複数の反射面（５２１〜５２５）を有する反射部（５２Ａ〜５２Ｆ）を含み、前記反射面は、前記第２の光学系から前記第３の光学系に入射された入射光の波長に応じて、前記入射光を反射して前記第３の光学系から射出することを特徴とする光学装置である。
【０００７】
請求項３記載の発明は、請求項１又は２に記載された光学装置であって、前記反射面（５２１〜５２５）は、前記第１の光学系（３）から前記第３の光学系（５Ａ〜５Ｆ）に入射された入射光の波長に応じて、前記入射光を透過して前記第３の光学系から射出することを特徴とする光学装置である。
【０００８】
請求項４記載の発明は、請求項３に記載された光学装置であって、前記反射面（５２１〜５２５）により反射された光、及び、前記反射面により透過された光が入射されるファインダ光学系（６）を有することを特徴とする光学装置である。
【０００９】
請求項５記載の発明は、請求項１から請求項４までの何れか１項に記載された光学装置であって、前記第３の光学系（５Ａ〜５Ｆ）は、前記反射部（５２Ａ〜５２Ｆ）が備えられていない領域に透過部（５１Ａ，５１Ｂ）を備え、前記透過部は、前記反射面（５２１〜５２５）により反射される波長の光を透過させることを特徴とする光学装置である。
【００１０】
請求項６記載の発明は、請求項１から請求項５までの何れか１項に記載された光学装置であって、前記反射面（５２１〜５２５）のそれぞれは、互いに平行に備えられていることを特徴とする光学装置である。
【００１１】
請求項７記載の発明は、請求項１から請求項６までの何れか１項に記載された光学装置であって、前記第１の光学系（３）と前記第３の光学系（５Ａ〜５Ｆ）との間に備えられ、前記被写体の正立像を形成する正立像形成部（３３）を含むことを特徴とする光学装置である。
【００１２】
請求項８記載の発明は、請求項７に記載された光学装置であって、正立像形成部（３３）と前記反射部（５２Ａ〜５２Ｆ）との間に備えられた第４の光学系（６１，６２）を含むことを特徴とする光学装置である。
【００１３】
請求項９記載の発明は、請求項１から請求項８までの何れか１項に記載された光学装置であって、前記反射面（５２１〜５２５）は、波長が５００ｎｍ以下の光、又は、波長が６００ｎｍ以上の光を反射することを特徴する光学装置である。
【００１４】
請求項１０記載の発明は、請求項１から請求項９までの何れか１項に記載された光学装置であって、前記反射部（５２Ｄ，５２Ｅ）は、２以上の異なる波長帯域の光を反射することを特徴とする光学装置である。
【００１５】
請求項１１記載の発明は、請求項１から請求項１０までの何れか１項に記載された光学装置であって、前記第３の光学系（５Ｆ）は、前記反射部（５２Ｆ）と一体に形成され、前記第２の光学系（４）から射出された光を導く導光部を含むことを特徴とする光学装置である。
【００１６】
請求項１２記載の発明は、請求項１から請求項１１までの何れか１項に記載された光学装置を備えたことを特徴とする光学機器（１）である。
【００１７】
請求項１３記載の発明は、入射された入射光の波長に応じて、前記入射光を反射して射出する複数の反射面（５２１〜５２５）を含み、前記反射面は、間隔を隔てて備えられていることを特徴とする光学部品（５Ａ〜５Ｆ）である。
【００１８】
請求項１４記載の発明は、請求項１２に記載された光学部品であって、前記反射面（５２１〜５２５）により反射される波長の光を透過させる透過部（５１Ａ，５１Ｂ）を含み、前記透過部は、前記反射面が備えられていない領域に備えられていることを特徴とする光学部品である。
【発明の効果】
【００１９】
本発明では、小型化を図ることが可能な光学装置、光学機器及び光学部品を提供することができる。
【発明を実施するための最良の形態】
【００２０】
以下、本発明の実施形態を図面に基づいて説明する。
【００２１】
＜第１実施形態＞
図１は本実施形態におけるファインダ装置を備えた一眼レフデジタルカメラを示す概略構成図、図２Ａ及び図２Ｂは本実施形態における合成装置を示す正面図及び断面図、図３は本発明の他の実施形態におけるファインダ装置を備えた一眼レフデジタルカメラを示す概略構成図である。
【００２２】
図１に示すように、一眼レフデジタルカメラ１は、撮影に際して被写体の構図やピントを確認するためのファインダ装置２と、被写体を撮像する撮像素子１０と、被写体からの光の送り先をファインダ装置２と撮像素子１０との間で切り替えるクイックリターンミラー７と、を備えている。撮影者がファインダ装置２を覗き込んで構図やピントを確認した後に、シャッタボタン（不図示）を押すと、マウント１１に取り付けられた交換レンズ（不図示）のレンズ群を介して入射した被写体からの光が、シャッタユニット８やローパスフィルタ９を通過して撮像素子１０に導かれて撮像されるようになっている。
【００２３】
ファインダ装置２は、被写体光学系３、表示光学系４、合成装置５Ａ及び接眼光学系６を備えている。被写体光学系３が被写体の像を形成し、表示光学系４がフォーカス領域などの所定の内容を表示する像を形成する。そして、合成装置５Ａが、被写体光学系３から入射された光と（被写体光）と、表示光学系４から入射された光（表示光）とを合成し、ファインダ光学系６がその合成された光をアイポイントＥＰへと導くようになっている。
【００２４】
被写体光学系３は、フォーカシングスクリーン３１、コンデンサレンズ３２及びペンタプリズム３３を備えている。フォーカシングスクリーン３１上に被写体の像が結像され、この被写体像はコンデンサレンズ３２により集光された後に、ペンタプリズム３３により被写体の正立像が形成される。なお、被写体の正立像を形成するための部材として、ペンタプリズムに代えて、ペンタミラーを用いても良い。ペンタプリズム３３により被写体の正立像が形成されると、被写体光は合成装置５Ａへと導かれる。
【００２５】
表示光学系４は、表示デバイス４１、コリメータ４２及びミラー４３を備えている。表示デバイス４１としては、例えば６８０ｎｍ程度の波長の赤色の表示光を発する液晶表示素子（ＬＣＤ：Liquid Crystal Display）や発光ダイオード（ＬＥＤ：Light Emitting Diode）などを用いることができる。なお、本実施形態においては、後述するダイクロイックミラーの反射波長帯域を人間の可視域上限側に設定した場合、表示光の波長は、ダイクロイックミラーの反射波長帯域の下限よりもやや上側の波長であれば特に限定されない。また、ダイクロイックミラーの反射波長帯域を人間の可視域下限側に設定した場合には、表示光の波長を、当該反射波長帯域の上限よりもやや下側に設定すればよい。また、表示デバイス４１が形成する像としては、例えば、フォーカスを合わせる領域を示す図形、被写体中の顔の位置を示す図形、バッテリ残量を示す図形、白とび若しくは黒つぶれする領域を示す図形、又は、テキスト表示（シャッタスピード、絞り値、露出、ホワイトバランス若しくは撮影日時など）を挙げることができる。表示デバイス４１から出力された表示光はコリメータ４２により平行光とされ、当該平行光がミラー４３により全反射されて合成装置５Ａへと導かれる。
【００２６】
合成装置５Ａは、図１に示すように、ペンタプリズム３３と接眼光学系６との間に位置している。この合成装置５Ａは、図２Ａ及び図２Ｂに示すように、光を透過可能な透明な材料から構成される本体部５１Ａと、本体部５１Ａ内に埋め込まれた反射部５２Ａと、から構成されている。本体部５１Ａを構成する材料としては、例えばガラスを挙げることができる。図２Ｂに示すように、本体部５１Ａは、被写体光学系３からの被写体光の入射方向に対して実質的に直交するように配置されている。なお、本発明においては、合成装置５Ａを接眼光学系６の中に配置してもよい。例えば、図３に示すように、接眼光学系６を構成する第２の接眼レンズ６２と第３の接眼レンズ６３との間に合成装置５Ａを配置してもよい。
【００２７】
図２Ａに戻り、反射部５２Ａは、互いに間隔を隔てて配置されている複数の帯状の反射面５２１から構成されている。また、反射部５２Ａは、図２Ｂに示すように、被写体光学系３からの被写体光の入射方向に対して実質的に直交するように配置されている。各反射面５２１は、所定の波長、例えば６６０ｎｍ以上の波長の光を反射し、所定の波長、例えば６６０ｎｍ未満の波長の光を反射しないダイクロイックミラーで構成されている。各反射面５２１は、表示光学系４から入射した表示光を同一の方向に反射するように、被写体光に対して実質的に同一の角度で傾斜しており、反射面５２１同士は実質的に平行となっている。
【００２８】
なお、本実施形態においては、反射面の形状及び大きさ、並びに、反射部材の配列は、任意に設定することができる。例えば、表示光学系４からの表示光が合成装置５Ａに対して横方向から入射する場合には、反射面５２１をそれぞれ縦方向に伸びる帯状としても良い。また、本実施形態においては、反射面の反射波長帯域を、例えば人間の可視域の上限近傍又は下限近傍に設定すればよく、６００ｎｍ以上又は５００ｎｍ以下であれば特に限定されない。
【００２９】
接眼光学系６は、図１に示すように、負の屈折力を有する第１及び第３の接眼レンズ６１，６３と、正の屈折力を有する第２の接眼レンズ６２と、を備えている。この接眼光学系６は、合成装置５Ａにより合成された被写体光及び表示光をアイポイントＥＰへと導く。
【００３０】
次に、ファインダ装置２の動作について説明する。
【００３１】
被写体光学系３から合成装置５Ａに被写体光が入射されると、当該被写体光の中で６６０ｎｍ未満の光は、合成装置５Ａの反射面５２１を透過する。ここで、例えば撮影者がシャッタボタン（不図示）を半押しすると、表示光学系４の表示デバイス４１から表示光が出力されてコリメータ４２及びミラー４３を介して合成装置５Ａに当該表示光が入射される。合成装置５Ａに入射された表示光は、反射面５２１に反射されることで、反射面５２１を透過した被写体光と合成される。これにより、例えばフォーカス領域等を被写体の像の上に重ね合わせた映像が接眼光学系６を介して撮影者に提供される。
【００３２】
本実施形態では、合成装置５Ａが有する反射部５２Ａを複数の反射面５２１に分割することで、合成装置５Ａ自体の厚み（図２Ｂのｔ１）を小さくすることができるので、ファインダ装置２の小型化を図ることができる。
【００３３】
＜第２実施形態＞
図４Ａ及び図４Ｂは本発明の第２実施形態における合成装置の正面図及び断面図である。本実施形態では、反射面及び本体部の形状が第１実施形態と相違するが、それ以外の構成は第１実施形態と同様である。以下に、第２実施形態におけるファインダ装置について第１実施形態との相違点についてのみ説明し、第１実施形態と同様の構成である部分については同一符号を付して説明を省略する。
【００３４】
本実施形態では、図４Ａに示すように、反射部５２Ｂは、複数の矩形状の反射面５２２から構成されており、当該複数の反射面５２２は、互いに間隔を隔ててマトリクス状に配置されている。なお、反射面５２２は、第１実施形態における反射面５２１と同様に、例えば、６６０ｎｍ以上の波長の光を反射し、６６０ｎｍ未満の波長の光を反射しないダイクロイックミラーで構成されている。
【００３５】
また、本実施形態では、図４Ｂに示すように、本体部５１Ｂの表面に、直角三角形状の断面を有する凸部５１１が多数形成されている。各反射面５２２は、外部に露出するように、この凸部５１１の傾斜面５１２上に形成されている。
【００３６】
＜第３実施形態＞
図５Ａ及び図５Ｂは本発明の第３実施形態における合成装置の正面図及び断面図である。本実施形態では、反射面の配置が第１実施形態と相違するが、それ以外の構成は第１実施形態と同様である。以下に、第３実施形態におけるファインダ装置について第１実施形態との相違点についてのみ説明し、第１実施形態と同様の構成である部分については同一符号を付して説明を省略する。
【００３７】
本実施形態では、図５Ａに示すように、第１実施形態と比較して、反射部５２Ｃを構成する反射面５２１の本数が増加していると共に、隣接する反射面５２１同士の間隔が狭まっている。反射面５２１の数を増加させると共に反射面５２１同士の間隔を狭めることで、合成装置において表示光を反射可能な領域を増やすことができる。
【００３８】
＜第４実施形態＞
図６は本発明の第４実施形態における合成装置の拡大断面図である。本実施形態では、反射部が２つの反射波長帯域を有する点で第１実施形態と相違するが、それ以外の構成は第１実施形態と同様である。以下に、第４実施形態におけるファインダ装置について第１実施形態との相違点についてのみ説明し、第１実施形態と同様の構成である部分については同一符号を付して説明を省略する。
【００３９】
本実施形態では、図６に示すように、反射部５２Ｄを構成するそれぞれの反射面５２３が２つの反射層５２３ａ，５２３ｂを有している。第１の反射層５２３ａは、６００ｎｍ以上の波長の光のみを反射し、６００ｎｍ未満の波長の光は反射しないようになっている。一方、第２の反射層５２３ｂは、５００ｎｍ以下の波長の光のみを反射し、５００ｎｍよりも大きな波長の光は反射しないようになっている。これにより、人間の可視域の上限近傍及び下限近傍の両方を表示光に採用することができる。なお、本発明においては、第１の反射層５２３ａの上に第２の反射層５２３ｂを設けても良い。
【００４０】
＜第５実施形態＞
図７は本発明の第５実施形態における合成装置の拡大断面図である。本実施形態では、反射部が２つの反射波長帯域を有する点で第１実施形態と相違するが、それ以外の構成は第１実施形態と同様である。以下に、第５実施形態におけるファインダ装置について第１実施形態との相違点についてのみ説明し、第１実施形態と同様の構成である部分については同一符号を付して説明を省略する。
【００４１】
本実施形態では、図７に示すように、反射部５２Ｅは、２種類の反射面５２３，５２４から構成されている。第１の反射面５２３は、６００ｎｍ以上の波長の光のみを反射し、６００ｎｍ未満の波長の光は反射しないようになっている。一方、第２の反射面５２４は、５００ｎｍ以下の波長の光のみを反射し、５００ｎｍよりも大きな波長の光は反射しないようになっている。これにより、第４実施形態と同様に、人間の可視域の上限近傍及び下限近傍の両方を表示光に採用することができる。
【００４２】
なお、本実施形態では、図７に示すように、第１の反射面５２３と第２の反射面５２４とが交互に配置されているが、本発明においては特にこれに限定されず、第１の反射面５２３と第２の反射面５２４を任意に配列することができる。
【００４３】
＜第６実施形態＞
図８は本発明の第６実施形態におけるファインダ装置を示す概略構成図である。本実施形態では、合成装置の構成が第１実施形態と相違するが、それ以外の構成は第１実施形態と同様である。以下に、第６実施形態におけるファインダ装置について第１実施形態との相違点についてのみ説明し、第１実施形態と同様の構成である部分については同一符号を付して説明を省略する。
【００４４】
本実施形態における合成装置５Ｆは、図８に示すように、所定の入射角度を超えると光を全反射する光学プリズム５２６と、このプリズム５２６の内部に埋め込まれた反射部５２Ｆと、から構成されている。反射部５２Ｆは、第１実施形態と同様に、互いに間隔を隔てて配置されている複数の帯状の反射面５２１から構成されており、各反射面５２１は、例えば、６６０ｎｍ以上の波長の光を反射し、６６０ｎｍ未満の波長の光を反射しないダイクロイックミラーで構成されている。
【００４５】
表示デバイス４１から表示光が出力されると、当該表示光は第１の面５２７を透過してプリズム５２６内に入射し、第２の面５２８、第１の面５２７及び第３の面５２９の順で全反射した後に、反射部５２Ｆでさらに全反射する。一方、被写体光学系３からの被写体光は、プリズム５２６の第１の面５２７を透過してプリズム５２６内に入射し、さらに当該被写体光の中で６６０ｎｍ未満の光が反射部５２Ｆを透過することで、被写体光と表示光とが合成される。合成された被写体光と表示光は、プリズム５２６の第３の面５２９から射出してアイポントＥＰへと導かれる。
【００４６】
反射部が埋め込まれたプリズムを合成装置として用いることで、合成装置に加えて、表示光学系も小型化を図ることができる。なお、本実施形態では、プリズム５２６の中で表示光を３回反射させたが、本発明においては特にこれに限定されず、例えば表示光を４回以上反射させても良い。
【００４７】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４８】
例えば、上述の実施形態では、一眼レフデジタルカメラのファインダ装置に本発明を適用した例について説明したが、本発明においては特にこれに限定されず、コンパクトカメラやビデオカメラ、銀塩フィルムを用いた一眼レフカメラに本発明を適用しても良い。
【００４９】
また、上述の実施形態では、反射面５２１〜５２５をダイクロイックミラーで構成するように説明したが、本発明においては特にこれに限定されず、例えば、ダイクロイックミラーの代わりに回折格子を用いてもよい。
【図面の簡単な説明】
【００５０】
【図１】図１は、本発明の第１実施形態におけるファインダ装置を備えた一眼レフデジタルカメラを示す概略構成図である。
【図２Ａ】図２Ａは、本発明の第１実施形態における合成装置を示す正面図である。
【図２Ｂ】図２Ｂは、図２ＡのIIB-IIB線に沿った断面図である。
【図３】図３は、本発明の他の実施形態におけるファインダ装置を備えた一眼レフデジタルカメラを示す概略構成図である。
【図４Ａ】図４Ａは、本発明の第２実施形態における合成装置を示す正面図である。
【図４Ｂ】図４Ｂは、図４ＡのIVB-IVB線に沿った断面図である。
【図５Ａ】図５Ａは、本発明の第３実施形態における合成装置を示す正面図である。
【図５Ｂ】図５Ｂは、図５ＡのVB-VB線に沿った断面図である。
【図６】図６は、本発明の第４実施形態における合成装置の拡大断面図である。
【図７】図７は、本発明の第５実施形態における合成装置の拡大断面図である。
【図８】図８は、本発明の第６実施形態におけるファインダ装置を示す概略構成図である。
【符号の説明】
【００５１】
１…一眼レフデジタルカメラ
２…ファインダ装置
３…被写体光学系
３３…ペンタプリズム
４…表示光学系
４１…表示デバイス
５Ａ〜５Ｆ…合成装置
５１Ａ〜５１Ｆ…透過部
５２Ａ〜５２Ｆ…反射部
５２１〜５２５…反射面
５２６…プリズム
６…接眼光学系
６１〜６３…第１〜第３の接眼レンズ
１０…撮像素子
【図１】
2008287168.tif 000003
【図２Ａ】
2008287168.tif 000004
【図２Ｂ】
2008287168.tif 000005
【図３】
2008287168.tif 000006
【図４Ａ】
2008287168.tif 000007
【図４Ｂ】
2008287168.tif 000008
【図５Ａ】
2008287168.tif 000009
【図５Ｂ】
2008287168.tif 000010
【図６】
2008287168.tif 000011
【図７】
2008287168.tif 000012
【図８】
2008287168.tif 000013